(57)【要約】【課題】従来の技術による諸問題を解決するため、音量を動的に調整できるモバイル装置及び関連方法を提供する。【解決手段】音量を動的に調整できるモバイル装置は、少なくとも１個のスピーカーと、モバイル装置と使用者間の距離を測定する距離測定ユニットと、距離測定ユニットに電気的に接続され、距離測定ユニットの測定結果に応じてスピーカーの出力音量を動的に調整する音量調整ユニットとを含む。【選択図】図１
2007221744.tif 000002
【特許請求の範囲】
【請求項１】
音量を動的に調整できるモバイル装置であって、
少なくとも１個のスピーカーと、
モバイル装置と使用者間の距離を測定する距離測定ユニットと、
距離測定ユニットに電気的に接続され、距離測定ユニットの測定結果に応じてスピーカーの出力音量を動的に調整する音量調整ユニットからなることを特徴とするモバイル装置。
【請求項２】
前記距離測定ユニットが赤外線距離測定装置であることを特徴とする請求項１記載のモバイル装置。
【請求項３】
前記音量調整ユニットはハンズフリー機能が起動された場合に、距離測定ユニットの測定結果に応じスピーカーの出力音量を調整することを特徴とする請求項１記載のモバイル装置。
【請求項４】
前記音量調整ユニットが距離測定ユニットの測定結果に応じ、測定結果が所定値を上回るとスピーカーの出力音量を大きくし、測定結果が所定値を下回るとスピーカーの出力音量を小さくすることを特徴とする請求項１記載のモバイル装置。
【請求項５】
前記音量調整ユニットが距離測定ユニットの測定結果に応じマイクロフォンの利得を調整することを特徴とする請求項１記載のモバイル装置。
【請求項６】
前記音量調整ユニットが距離測定ユニットの測定結果に応じ、測定結果が所定値を上回るとマイクロフォンの利得を大きくし、測定結果が所定値を下回るとマイクロフォンの利得を小さくすることを特徴とする請求項５記載のモバイル装置。
【請求項７】
モバイル装置の音量を動的に調整する方法であって、
モバイル装置と使用者間の距離を測定し、
モバイル装置と使用者間の距離に応じてモバイル装置の出力音量を動的に調整するステップを含むことを特徴とする方法。
【請求項８】
前記モバイル装置と使用者間の距離に応じてモバイル装置の出力音量を動的に調整するステップでは、ハンズフリー機能が起動された場合に、モバイル装置と使用者間の距離に応じモバイル装置のスピーカー出力音量を調整することを特徴とする請求項７記載の方法。
【請求項９】
前記モバイル装置と使用者間の距離に応じてモバイル装置の出力音量を動的に調整するステップでは、モバイル装置と使用者間の距離が所定値を上回るとスピーカーの出力音量を大きくし、距離が所定値を下回るとスピーカーの出力音量を小さくすることを特徴とする請求項７記載の方法。
【請求項１０】
前記方法は更に、モバイル装置と使用者間の距離に応じてモバイル装置のマイクロフォン利得を調整するステップを含むことを特徴とする請求項７記載の方法。
【請求項１１】
前記モバイル装置と使用者間の距離に応じてモバイル装置のマイクロフォン利得を調整するステップでは、ハンズフリー機能が起動された場合に、筐体と使用者間の距離に応じモバイル装置のマイクロフォン利得を調整することを特徴とする請求項１０記載の方法。
【請求項１２】
前記モバイル装置と使用者間の距離に応じてモバイル装置のマイクロフォン利得を調整するステップでは、モバイル装置と使用者間の距離が所定値を上回るとマイクロフォンの利得を大きくし、距離が所定値を下回るとマイクロフォンの利得を小さくすることを特徴とする請求項１０記載の方法。
【発明の詳細な説明】
【技術分野】
【０００１】
この発明は音量を動的に調整できるモバイル装置に関し、特に使用者との距離に応じて音量を調整できるモバイル装置に関する。
【背景技術】
【０００２】
電話の普及につれて、人間同士のコミュニケーションは次第に便利になる。ハンズフリーの電話機は、受話器に耳を当てなくても通話でき、聴覚の負担を軽減すると同時に多者通話をも実現させるものである。しかし、従来の技術では、電話機（コードレス電話または携帯電話）のハンズフリー機能はボタンで制御される（例えば通話ボタンを３秒間押してハンズフリー機能を起動／終了する）ため、終了しようとするときもボタンを押さなければならず、場合によっては問題を起こしうる。例えば通話ボタンを３秒間押せばハンズフリー機能を終了できると設定された場合では、多者通話でプライベートに言及すれば、ハンズフリーを即時に終了できず困惑することもあると考えられる。
【０００３】
一方、ハンズフリー機能を起動した場合、電話機のスピーカーが普段より大きいパワーで出力するのが一般である。理想的には、出力音量を自動的に調整することが望ましい。例えば使用者が電話機に近づけば音量が小さくなり、遠ざかれば音量が大きくなることが最も理想的である。しかし従来の技術では、音量調整ボタンで音量を調整するしかない。
【発明の開示】
【発明が解決しようとする課題】
【０００４】
この発明は前述の問題を解決するため、音量を動的に調整できるモバイル装置及び関連方法を提供することを課題とする。
【課題を解決するための手段】
【０００５】
この発明は音量を動的に調整できるモバイル装置を提供する。該装置は、少なくとも１個のスピーカーと、モバイル装置と使用者間の距離を測定する距離測定ユニットと、距離測定ユニットに電気的に接続され、距離測定ユニットの測定結果に応じてスピーカーの出力音量を動的に調整する音量調整ユニットからなる。
【０００６】
この発明は更にモバイル装置の音量を動的に調整する方法を提供する。該方法は、モバイル装置と使用者間の距離を測定し、モバイル装置と使用者間の距離に応じてモバイル装置の出力音量を動的に調整するステップを含む。
【発明の効果】
【０００７】
この発明は、ハンズフリー通話中に電話機と使用者間の距離に応じてスピーカーの音量を調整するか、または相応なスピーカーを選んで音声信号を出力する。したがって、ハンズフリー機能を終了しようとすれば、電話機との距離を縮めるだけで音量が小さくなる。そうすると、多者通話でプライベートに言及した場合、携帯電話をとるだけでハンズフリー機能を即時に終了することができる。
【発明を実施するための最良の形態】
【０００８】
かかる装置及び方法の特徴を詳述するために、具体的な実施例を挙げ、図を参照して以下に説明する。
【実施例１】
【０００９】
図１を参照する。図１はこの発明の実施例１による音量を動的に調整できる電話機１０のブロック図である。電話機１０はスピーカー１００と、マイクロフォン１０２と、通信ユニット１０４と、距離測定ユニット１０６と、音量調整ユニット１０８とを含む。スピーカー１００、マイクロフォン１０２及び距離測定ユニット１０６は電話機１０の筐体（非表示）に設けられ、通信ユニット１０４と音量調整ユニット１０８は電話機１０の筐体内に設けられる。そのうちスピーカー１００、マイクロフォン１０２並びに通信ユニット１０４は電話機１０の通信機能を実現させるものである。電話機１０で電話をかけるとき、マイクロフォン１０２は使用者の音声信号を受信し、通信ユニット１０４を通して送信先に送信する。同じく、通信ユニット１０４は送信先から（信号処理を経て）の音声信号をスピーカー１００を通して出力する。距離測定ユニット１０６は電話機１０と使用者間の距離を測定する赤外線またはレーザー反射型距離測定装置である。音量調整ユニット１０８は距離測定ユニット１０６の測定に応じ、通信ユニット１０４を通してスピーカー１００の出力音量を調整する。言い換えれば、距離測定ユニット１０６に測定された電話機１０と使用者間の距離が近ければ、音量調整ユニット１０８はスピーカー１００の出力音量を小さくし、遠ければ出力音量を大きくする。
【００１０】
したがって、使用者との距離に応じ、電話機１０は自動的にスピーカーの音量を調整することができる。そうすれば、使用者が電話機１０に近づけば音量が小さくなり、遠ざかれば音量が大きくなる。もっともこの発明では、ハンズフリー機能の起動後にのみ、距離測定ユニット１０６と音量調整ユニット１０８を起動できるように設定することも可能である。スピーカー１００の出力音量を調整するほかにも、使用者と電話機１０の距離に応じてマイクロフォン１０２の利得を調整することも可能である。換言すれば、使用者と電話機１０の距離が近ければマイクロフォン１０２の利得を小さくし、遠ければ利得を大きくする。
【００１１】
図２を参照する。図２はこの発明の実施例２による電話機１０の音量を動的に調整する方法のフローチャート２０である。該方法は以下の通りである。
【００１２】
ステップ２００：使用者が電話機１０で受話または発話する
ステップ２０２：電話機１０のハンズフリー機能が起動されたか否かを判断する。起動されていればステップ２０４に移り、起動されていなければステップ２０８に移る。
ステップ２０４：距離測定ユニット１０６の測定機能を起動する。
ステップ２０６：距離測定ユニット１０６の測定結果に応じ、スピーカー１００の音量とマイクロフォン１０２の利得を動的に調整する。
ステップ２０８：距離測定ユニット１０６の測定機能を終了する。
ステップ２１０：小音量通話モードを実行する。
【００１３】
前記の通り、使用者が電話機１０で受話または発話するとき、ハンズフリー機能が起動されていれば、電話機１０は使用者との距離に応じてスピーカー１００の音量とマイクロフォン１０２の利得を動的に調整できる。そうすれば、使用者と電話機１０の距離が近ければ、スピーカー１００の音量とマイクロフォン１０２の利得が小さくなり、遠ければ音量と利得がいずれも大きくなる。それに対して、ハンズフリー機能が起動されていなければ、距離測定ユニット１０６の測定機能は終了とされ、スピーカー１００の音量とマイクロフォン１０２の利得は近距離使用に適するように設定される。
【００１４】
そのほか、ステップ２０６によるスピーカー１００音量とマイクロフォン１０２利得の動的調整とは、距離測定ユニット１０６の測定結果によってスピーカー１００の音量とマイクロフォン１０２の利得を動的に調整するほか、距離測定ユニット１０６の測定結果により使用者と電話機１０の距離が所定値を上回ったことがわかれば、スピーカー１００の音量とマイクロフォン１０２の利得を所定値まで大きくし、更に距離が所定値を下回ったときに音量と利得をその他の所定値まで小さくすることも可能である。そうすれば、通話中にハンズフリー機能を終了しようとすれば、電話機１０との距離を縮める（例えば電話機１０をとる）だけでスピーカー１０の音量を小さくすることができる。したがって、多者通話でプライベートに言及した場合、電話機１０をとるか電話機１０に近づけるだけで、ハンズフリー機能を即時に終了することができる。
【００１５】
したがって、電話機１０は距離測定ユニット１０６で使用者との距離を判断し、その結果に応じて音量調整ユニット１０８でスピーカー１００の音量とマイクロフォン１０２の利得を調整する。注意すべきことは、図１の電話機１０はこの発明の一例を示すに過ぎず、コード付き電話、コードレス電話、携帯電話など当業者がなしうる変化は、いずれもこの発明に属する。
【実施例２】
【００１６】
通常の電話機は受話器スピーカーと着信音スピーカーを含む。受話器スピーカーは耳を当てて聞くために小さい音量を出力し、着信音スピーカーは着信音を発するために受話器スピーカーより大きい音量を出力する。したがって、この発明は使用者との距離に応じて出力スピーカーを切り替えることによって出力音量を変更する電話機を掲示する。図３を参照する。図３はこの発明の実施例２による音量を動的に調整できる電話機３０のブロック図である。電話機３０はスピーカーＳＰ１、ＳＰ２、ＳＰｎ…と、マイクロフォン３０２と、通信ユニット３０４と、距離測定ユニット３０６と、音量調整ユニット３０８とを含む。スピーカーＳＰ１、ＳＰ２、ＳＰｎ…、マイクロフォン３０２及び距離測定ユニット３０６は電話機３０の筐体（非表示）に設けられ、通信ユニット３０４と音量調整ユニット３０８は電話機３０の筐体内に設けられる。スピーカーＳＰ１、ＳＰ２、ＳＰｎ…は種々の出力パワーで種々の音量を出力する。受発話するとき、通信ユニット３０４はスピーカーＳＰ１、ＳＰ２、ＳＰｎ…を通して音声信号を発し、マイクロフォン３０２は音声信号を受信する。距離測定ユニット３０６は筐体と使用者間の距離を測定する赤外線またはレーザー反射型距離測定装置であり、音量調整ユニット３０８は距離測定ユニット３０６の測定結果に応じ、スピーカーＳＰ１、ＳＰ２、ＳＰｎ…のうち一つを選んで音声を出力する。
【００１７】
したがって、電話機３０は使用者との距離に適するスピーカーを選択できる。そうすれば、使用者が電話機３０に近づけば音声は低パワーのスピーカーから出力され、遠ざかれば高パワーのスピーカーから出力される。もっともこの発明では、ハンズフリー機能の起動後にのみ、距離測定ユニット３０６と音量調整ユニット３０８を起動できるように設定することも可能である。同じく、スピーカーを選ぶほかにも、使用者と電話機３０の距離に応じてマイクロフォン３０２の利得を調整することも可能である。換言すれば、使用者と電話機３０の距離が近ければマイクロフォン１０２の利得を小さくし、遠ければ利得を大きくする。
【００１８】
図４を参照する。図４はこの発明の実施例２による電話機３０の音量を動的に調整する方法のフローチャート４０であり、図３の音量調整ユニット３０８でスピーカーＳＰ１、ＳＰ２、ＳＰｎ…を選ぶまたは／及びマイクロフォン３０２の利得を調整するフローを示す。該方法は以下の通りである。
【００１９】
ステップ４００：使用者が電話機３０で受話または発話する
ステップ４０２：電話機３０のハンズフリー機能が起動されたか否かを判断する。起動されていればステップ４０４に移り、起動されていなければステップ４０８に移る。
ステップ４０４：距離測定ユニット３０６の測定機能を起動する。
ステップ４０６：距離測定ユニット３０６の測定結果に応じ、スピーカーを選んで音声を出力する。
ステップ４０８：距離測定ユニット３０６の測定機能を終了する。
ステップ４１０：小音量通話モードを実行する。
【００２０】
前記の通り、使用者が電話機３０で受話または発話するとき、ハンズフリー機能が起動されていれば、電話機３０は使用者との距離に応じ、スピーカーＳＰ１、ＳＰ２、ＳＰｎ…のうちひとつを選んで音声を出力するとともにマイクロフォン３０２の利得を調整する。そうすれば、使用者と電話機３０の距離が近ければ、低パワーのスピーカーを選んで音声を出力するとともにマイクロフォン３０２の利得を小さくし、遠ければ高パワーのスピーカーを出力スピーカーとして選んで、マイクロフォンの利得を大きくする。それに対して、ハンズフリー機能が起動されていなければ、距離測定ユニット３０６の測定機能は終了とされ、近距離使用に適するスピーカー及びマイクロフォン利得が選ばれる。
【００２１】
通話中にハンズフリー機能を終了しようとすれば、電話機３０との距離を縮める（例えば電話機３０をとる）だけで電話機３０の音量を小さくすることができる。したがって、多者通話でプライベートに言及した場合、電話機３０をとるだけでハンズフリー機能を即時に終了することができる。
【００２２】
したがって、電話機３０は距離測定ユニット３０６で使用者との距離を判断し、その結果に応じてスピーカーを選んでマイクロフォン３０２の利得を調整する。注意すべきことは、図３の電話機３０はこの発明の一例を示すに過ぎず、コード付き電話、コードレス電話、携帯電話など当業者がなしうる変化は、いずれもこの発明に属する。
【００２３】
図５と図６を参照する。図５はこの発明による携帯電話５０の正面図であり、図６は携帯電話５０の背面図である。携帯電話５０は距離測定ユニット５００と、受話器スピーカー５０２と、スクリーン５０４と、キーパッド５０８と、マイクロフォン５１０と、着信音スピーカー５１２とを含む。スクリーン５０４は携帯電話５０の操作情報を示し、キーパッド５０８は通話、ハンズフリー設定などの携帯電話の操作に供する。受話器スピーカー５０２は近距離使用に適し、着信音スピーカー５１２より小さい出力パワーを有する。着信音スピーカー５１２は大きい音声を発し着信を知らせる。距離測定ユニット５００はハンズフリー通話において携帯電話５０と使用者間の距離を測定し、その結果を携帯電話５０の音量調整ユニット（図５では非表示）に送信する赤外線距離測定装置である。距離測定ユニット５００の測定結果に応じ、音量調整ユニットは受話器スピーカー５０２と着信音スピーカー５１２のいずれかを選んで音声を出力する。
【００２４】
例えば、ハンズフリー通話の過程において、使用者と携帯電話５０の距離が所定値を上回れば、音量調整ユニットは着信音スピーカー５１２を選んで大きい音量を出力し、距離が所定値を下回れば受話器スピーカー５０２を選んで近距離使用に適した音量を出力する。したがって、通話中にハンズフリー機能を終了しようとすれば、携帯電話５０との距離を縮める（例えば携帯電話５０をとる）だけで携帯電話５０の音量を小さくすることができる。そうすれば、多者通話でプライベートに言及した場合、携帯電話５０をとるだけでハンズフリー機能を即時に終了することができる。もっとも、携帯電話５０は使用者との距離に応じ、前述の通りにマイクロフォンの利得を調整することができる。なお、受話器スピーカー５０２と着信音スピーカー５１２のいずれかで音声を出力するときでも、使用者と携帯電話５０の距離に応じてその出力音量を調整することが可能である。
【００２５】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２６】
この発明は、ハンズフリー通話中に電話機と使用者間の距離に応じてスピーカーの音量を調整するか、または相応なスピーカーを選んで音声信号を出力する。したがって、ハンズフリー機能を終了しようとすれば、電話機との距離を縮めるだけで音量が小さくなる。そうすると、多者通話でプライベートに言及した場合、携帯電話をとるだけでハンズフリー機能を即時に終了することができる。
【図面の簡単な説明】
【００２７】
【図１】この発明の実施例１による音量を動的に調整できる電話機のブロック図である。
【図２】この発明の実施例１による電話機の音量を動的に調整する方法のフローチャートである。
【図３】この発明の実施例２による音量を動的に調整できる電話機のブロック図である。
【図４】この発明の実施例２による電話機の音量を動的に調整する方法のフローチャートである。
【図５】この発明による携帯電話の正面図である。
【図６】この発明による携帯電話の背面図である。
【符号の説明】
【００２８】
１０、３０               電話機
５０                     携帯電話
１００、ＳＰ１…ＳＰｎ   スピーカー
１０２、３０２           マイクロフォン
１０４、３０４           通信ユニット
１０６、３０６           距離測定ユニット
１０８、３０８           音量調整ユニット
５００                   距離測定ユニット
５０２                   受話器スピーカー
５０４                    スクリーン
５０８                   キーパッド
５１０                   マイクロフォン
５１２                   着信音スピーカー
【図１】
2007221744.tif 000003
【図２】
2007221744.tif 000004
【図３】
2007221744.tif 000005
【図４】
2007221744.tif 000006
【図５】
2007221744.tif 000007
【図６】
2007221744.tif 000008